(57)【特許請求の範囲】
【請求項１】
開口部を有する箱体と、
前記箱体の前記開口部に着脱自在に取付可能な扉と、
を備え、
前記扉は、前記箱体に対して斜めに立てかけて固定可能な構成を有するとともに、斜めに立てかけた状態で作業台として変形可能な構成を有することを特徴とするラック。
【請求項２】
前記扉は、
１又は複数の窓部を有する扉本体と、
前記窓部に対応する踏み板と、
前記扉本体に対して前記踏み板を開閉自在に取り付けるヒンジ部と、
を有し、
前記踏み板は、前記窓部を閉じた状態では前記扉本体とともに前記扉の表面をなし、前記窓部を開いた状態では作業台としての踏み場となることを特徴とする請求項１記載のラック。
【請求項３】
前記箱体には、前記窓部を開いた状態のときに前記踏み板が水平となるように前記踏み板を受ける受部材が取り付けられていることを特徴とする請求項２記載のラック。
【請求項４】
前記踏み板には、引っ掛け部材が取り付けられており、
前記受け部材には、前記引っ掛け部材が着脱自在に引っ掛かる穴部を有することを特徴とする請求項３記載のラック。
【請求項５】
前記扉を前記箱体に対して斜めに立てかけたときに前記扉の下部が前記箱体に対して開くのを止める開き止め金具を備えることを特徴とする請求項１乃至４のいずれか一に記載のラック。
【請求項６】
前記箱体及び前記扉の一方には、ピン部材が取り付けられており、
前記開き止め金具は、連結部を介して前記箱体及び前記扉の他方に回動自在に取り付けられるとともに、前記ピン部材に着脱自在に引っ掛かる凹部を有することを特徴とする請求項５記載のラック。
【請求項７】
前記開き止め金具は、第１金具の他端と第２金具の一端とがヒンジ部を介して回動可能に連結されるとともに、前記第１金具の一端と前記扉とが第１連結部を介して回動可能に連結され、かつ、前記第２金具の他端と前記箱体とが第２連結部を介して回動可能に連結された構成であることを特徴とする請求項５記載のラック。
【請求項８】
前記扉には、第１穴部を有し、
前記箱体には、第２穴部を有する受部材が取り付けられており、
前記第１穴部及び前記第２穴部に挿入可能なロックピンを備えることを特徴とする請求項１乃至７のいずれか一に記載のラック。
【請求項９】
前記扉は、前記箱体よりも高く延在した延在部を有するとともに、前記延在部に引っ掛け金具が取り付けられており、
前記箱体は、上面にて前記引っ掛け金具が引っ掛かるガイド部材が取り付けられていることを特徴とする請求項１乃至７のいずれか一に記載のラック。
【請求項１０】
箱体の開口部に着脱自在に取付可能な扉を有するラックから前記扉を外す工程と、
外した前記扉を前記箱体に対して斜めに立てかけて固定する工程と、
斜めに立てかけた前記扉を作業台として変形する工程と、
を含むことを特徴とするラックの使用方法。
【発明の詳細な説明】
【技術分野】
【０００１】
本発明は、箱体に扉が開閉自在に取り付けられたラック、及び、ラック上部へのアクセスを容易にするラックの使用方法に関する。
【背景技術】
【０００２】
複数のサーバユニット、ネットワークユニット等の機器を収納するラックは、一般的に、箱体（筐体）に扉が開閉自在に取り付けられた構成となっている。このようなラックにおいては、作業者の手の届かない高い位置に機器が収納されていることがある。そのような高い位置にあるラック上部の機器の修理、交換、調整、取付等の作業を行なう場合、作業者が脚立、梯子等の作業台に乗ってラック上部にアクセスしていた。
【先行技術文献】
【特許文献】
【０００３】
【特許文献１】実開平３−２６８１号公報
【発明の概要】
【発明が解決しようとする課題】
【０００４】
以下の分析は、本願発明者により与えられる。
【０００５】
現地調整等の作業期間中で工事業者と共に作業をしていれば、工事業者が脚立、梯子等の作業台を持ち合わせている場合もあり、その場で脚立、梯子等の作業台を借用して、作業の実施が可能であったが、いつも工事業者と共に作業する訳ではなく、また、工事業者も脚立、梯子等の作業台を持ち合わせていなかったりすることもあった。従って、作業者は、予め、脚立等を準備して持参する必要があった。
【０００６】
ラック上部には複数の信号ケーブルが存在することが多い。脚立、梯子等の作業台がない場合、あるいは、脚立、梯子等の作業台を工事業者等から借用できない場合、脚立、梯子等の作業台やそれに代わる代用物がない場合は、ラック上部の状態が良く分からず、ラック上部の状態確認のため、通常の作業よりも余計な時間を要し、作業効率が悪くなっていた。また、ラック上部が良く見えない状態でラック上部の作業を行うと、作業姿勢が悪くなるため、誤って作業してしまうおそれもあった。
【０００７】
また、脚立、梯子等の作業台がない場合、ラック上部の機器に手が届かないことにより、ユニットに対する修理、交換、調整、取付等の作業ができないことがあった。
【０００８】
また、脚立、梯子等の作業台がない場合は、それに代わる代用物（例えば、椅子等）を使用することもできるが、脚立、梯子等の作業台に比べ、作業に適した用途に作られていない。そのため、代用物は、安定性に欠けることもあり、転倒防止等、本来の脚立、梯子等の作業台の使用にはない、細心の注意が必要となり、作業工数がより多くかかり、作業に集中できないことがあった。また、代用物の安定性を確保するため、代用物を押さえるために作業者が更に（もう１人以上）必要になる場合があった。さらに、必要な高さの代用物がない、代用物の数が足りない、といった問題も生じる場合があった。
【０００９】
また、ラック上部には、ラックにネットワーク機器が実装されている場合、前面側に通信ケーブルを敷設することが多い。このような場合、ラックの上側に敷設されたケーブルの変更作業やケーブル交換を行う際、背面側のみならず、前面側でも脚立、梯子等の作業台やそれに代わる代用物が必要になることがあった。
【００１０】
また、サーバラックやネットワークラックはマシン室内に複数台配置されていることが多い。ラック上部の作業を同時に実施する必要があるときに、脚立、梯子等の作業台が１つしかないために、交代して作業実施することになり、作業効率が悪かった。
【００１１】
また、作業場所によっては、脚立、梯子等の作業台を持ち込む場合、持込申請を行わなければならないこともある。
【００１２】
さらに、ラック内等に脚立、梯子等の作業台を予め用意したり、ラックに脚立、梯子等の作業台を組み込む場合（例えば、筐体に梯子を脱着自在に設けたものとして特許文献１参照）、脚立、梯子等の作業台の費用がそのまま上乗せされ、高価なラックになってしまう、という問題があった。
【００１３】
本発明の主な課題は、脚立、梯子等の作業台を用意することなくラック上部の作業を容易に行うことができる低コストなラック及びその使用方法を提供することである。
【課題を解決するための手段】
【００１４】
本発明の第１の視点においては、ラックにおいて、開口部を有する箱体と、前記箱体の前記開口部に着脱自在に取付可能な扉と、を備え、前記扉は、前記箱体に対して斜めに立てかけて固定可能な構成を有するとともに、斜めに立てかけた状態で作業台として変形可能な構成を有することを特徴とする。
【００１５】
本発明の第２の視点においては、ラックの使用方法において、箱体の開口部に着脱自在に取付可能な扉を有するラックから前記扉を外す工程と、外した前記扉を前記箱体に対して斜めに立てかけて固定する工程と、斜めに立てかけた前記扉を作業台として変形する工程と、を含むことを特徴とする。
【発明の効果】
【００１６】
本発明によれば、ラック上部の前面や背面で作業を実施する際に、脚立、梯子等の作業台やその代用物を別途調達したり借用することなく、ラック上部の作業を容易に行うことができる。また、脚立、梯子等の作業台をラックに組み付けたり、別に用意しておく場合に比べ、低コストである。
【図面の簡単な説明】
【００１７】
【図１】本発明の実施形態１に係るラックの構成を模式的に示した斜視図である。
【図２】本発明の実施形態１に係るラックの閉状態の構成を模式的に示した箱体の内側から見た側面図である。
【図３】本発明の実施形態１に係るラックの開状態の構成を模式的に示した箱体の内側から見た側面図である。
【図４】本発明の実施形態１に係るラックにおける扉の閉状態の構成を模式的に示した外部側から見た平面図である。
【図５】本発明の実施形態１に係るラックにおける扉の開状態の構成を模式的に示した外部側から見た平面図である。
【図６】本発明の実施形態２に係るラックの閉状態の構成を模式的に示した箱体の内側から見た側面図である。
【図７】本発明の実施形態２に係るラックの開状態の構成を模式的に示した箱体の内側から見た側面図である。
【図８】本発明の実施形態３に係るラックの開状態の構成を模式的に示した断面図である。
【図９】本発明の実施形態３に係るラックにおけるフレームの構成を模式的に示した平面図である。
【図１０】本発明の実施形態３に係るラックにおける扉及びフレームの構成を模式的に示した上面図である。
【図１１】本発明の実施形態４に係るラックの閉状態の構成を模式的に示した箱体の内側から見た側面図である。
【図１２】本発明の実施形態４に係るラックの開状態の構成を模式的に示した箱体の内側から見た側面図である。
【発明を実施するための形態】
【００１８】
［実施形態１］
本発明の実施形態１に係るラックについて図面を用いて説明する。図１は、本発明の実施形態１に係るラックの構成を模式的に示した斜視図である。図２は、本発明の実施形態１に係るラックの閉状態の構成を模式的に示した箱体の内側から見た側面図である。図３は、本発明の実施形態１に係るラックの開状態の構成を模式的に示した箱体の内側から見た側面図である。図４は、本発明の実施形態１に係るラックにおける扉の閉状態の構成を模式的に示した外部側から見た平面図である。図５は、本発明の実施形態１に係るラックにおける扉の開状態の構成を模式的に示した外部側から見た平面図である。
【００１９】
図１を参照すると、ラック１は、複数のサーバユニット、ネットワークユニット等の機器（図示せず）を収納するケースである。ラック１として、例えば、３６Ｕ以上のサーバラック、ネットワークラック等のように脚立、梯子等の作業台を使わないとラック上部の機器に対して作業が行えないようなラック（例えば、高さ１７５０ｍｍ以上のラック）が挙げられる。ラック１は、作業者がラック上部の機器にアクセスして作業できるように構成されている。ラック１は、扉２０Ａ、２０Ｂを箱体１０に対して斜めに立てかけた状態で固定可能な構成を有するとともに、立てかけた状態で扉２０Ａ、２０Ｂを脚立、梯子等の作業台として変形可能な構成を有する。ラック１は、主な構成部として、箱体１０と、扉２０Ａ、２０Ｂと、開き止め金具３０と、ロックピン３１と、を有する。
【００２０】
箱体１０は、開口部１０ａを有する箱状の部材である（図１〜図３参照）。箱体１０は、内部にて、複数のサーバユニット、ネットワークユニット等の機器（図示せず）を収納する。開口部１０ａは、箱体１０の前方及び後方に有する。箱体１０は、主な構成部として、箱体本体１１と、フレーム１２、１３と、ピン部材１４と、受部材１５と、を有する。
【００２１】
箱体本体１１は、複数のサーバユニット、ネットワークユニット等の機器（図示せず）を収納する空間の上面及び両側面並びに底面を囲むケースである（図１〜図３参照）。箱体本体１１は、前方の開口部１０ａにフレーム１２が取付固定され、後方の開口部１０ａにフレーム１２が取付固定されている。
【００２２】
フレーム１２、１３は、箱体本体１１の前方及び後方の開口部１０ａに取付固定された枠状の部材である（図１〜図３参照）。フレーム１２、１３は、開口部１０ａを覆うようにして対応する扉２０Ａ、２０Ｂが着脱自在に取付可能である。フレーム１２、１３の開口部１０ａへの扉２０Ａ、２０Ｂの固定には、通常のネジやファスナ（点ファスナ）と呼ばれる市販のワンタッチで固定できる部品等を用いることができる。フレーム１２、１３には、対応する扉２０Ａ、２０Ｂを斜めに立てかけて固定することが可能である。フレーム１２、１３には、両側面の内側の面の所定の位置にピン部材１４が取付固定され、両側面の内側の面の他の所定の位置（ピン部材１４よりも上の位置）に受部材１５が取付固定されている。なお、フレーム１２、１３は、ヒンジを介して箱体本体１１に取り付けて横開きできるようにしてもよい。
【００２３】
ピン部材１４は、フレーム１２、１３に扉２０Ａ、２０Ｂを斜めに立てかけたときに、開き止め金具３０の凹部３０ｂに引っ掛けるためのピン状の部材である（図１〜図３参照）。ピン部材１４は、フレーム１２、１３の両側面の内側の面の所定の位置（受部材１５よりも下の位置）に取付固定される。ピン部材１４は、開き止め金具３０の凹部３０ｂと着脱自在に引っ掛かる。これにより、扉２０Ａ、２０Ｂの下部が外側に広がるのを防止する。
【００２４】
受部材１５は、フレーム１２、１３に扉２０Ａ、２０Ｂを斜めに立てかけたときに、ロックピン３１を受けるための部材である（図１〜図３参照）。受部材１５は、フレーム１２、１３の両側面の内側の面の他の所定の位置（ピン部材１４よりも上でフレーム１２、１３の最上部よりも下の位置）に取付固定される。受部材１５は、ロックピン３１を挿入するための穴部１５ａを有する。穴部１５ａにロックピン３１が挿入されることで、斜めに立てかけた扉２０Ａ、２０Ｂの上部の位置が固定される。
【００２５】
扉２０Ａ、２０Ｂは、箱体１０の開口部１０ａに開閉自在に取り付けられた板状の部材である（図１〜図５参照）。扉２０Ａは、箱体１０の前方の開口部１０ａに開閉自在に取り付けられている。扉２０Ｂは、箱体１０の後方の開口部１０ａに開閉自在に取り付けられている。扉２０Ａ、２０Ｂは、箱体１０に対して側面に蝶番等で横開きになるのではなく、扉２０Ａ、２０Ｂ全体が箱体１０から取り外し可能となっており、箱体１０に対して斜めに立てかけることが可能（扉２０Ａ、２０Ｂの上部が箱体１０に接し、扉２０Ａ、２０Ｂの下部が箱体１０から離れた姿勢になることが可能）である。扉２０Ａ、２０Ｂは、主な構成部として、扉本体２１と、踏み板２２、２３と、ヒンジ２４、２５と、ロック部２６、２７と、を有する。なお、扉２０Ａ、２０Ｂは、箱体１０の前方及び後方の両側だけでなく片側のみ箱体から外れるようにしてもよい。
【００２６】
扉本体２１は、フレーム１２、１３の開口部１０ａを覆うようにして着脱自在に取付固定可能な板状の部材である（図１〜図５参照）。扉本体２１のフレーム１２、１３への固定には、例えば通常のネジやファスナ（点ファスナ）と呼ばれる市販のワンタッチで固定できる部品等を用いることができる。扉本体２１は、フレーム１２、１３に対して斜めに立てかけて固定することが可能である。扉本体２１は、板状の部分の周囲の端部から板面に対して直角方向に突出（折曲、溶接等でも可）した枠状の部分を有し、当該枠状の部分の両側面の内側の面の所定の位置に連結部３０ａ（例えば、ネジ、リベット、その他の連結手段）によって開き止め金具３０が回動可能に取り付けられている。扉本体２１は、フレーム１２、１３に対して斜めに立てかけた状態で、板面において受部材１５の穴部１５ａと対応する位置にロックピン３１を挿入するための穴部２１ｃを有する。扉本体２１は、板面において、空所となった矩形状の窓部２１ａ、２１ｂを有する。窓部２１ａには、下側の端部にて踏み板２２が複数のヒンジ２４を介して回動可能に取り付けられている。窓部２１ｂには、下側の端部にて踏み板２３が複数のヒンジ２５を介して回動可能に取り付けられている。窓部２１ａ、２１ｂは、扉２０Ａ、２０Ｂを作業台として用いないときに、踏み板２２、２３によって閉鎖可能であり、扉２０Ａ、２０Ｂを作業台として用いるときに、踏み板２２、２３を開けて作業用の窓としたり、踏み台（足場）とすることができる。扉本体２１には、窓部２１ａ、２１ｂの上部の位置に連結部２６ａ、２７ａを介してロック部２６、２７が回動自在に取り付けられている
【００２７】
踏み板２２、２３は、作業時の踏み場（足場、踏み台、段、ステップ）とするための板状の部材である（図１〜図５参照）。踏み板２２、２３は、扉本体２１の窓部２１ａ、２１ｂに対応して矩形状に形成されている。踏み板２２は、扉本体２１の窓部２１ａの下側の端部にて複数のヒンジ２４を介して回動自在に取り付けられている。踏み板２２、２３は、窓部２１ａ、２１ｂを閉じた状態では扉本体２１とともに扉２０Ａ、２０Ｂの表面をなし、窓部２１ａ、２１ｂを開いた状態では作業台としての踏み場となる。踏み板２２は、窓部２１ａを閉鎖した状態のときに、扉本体２１に対して回動しないようにロック部２６によってロックすることが可能である。踏み板２３は、扉本体２１の窓部２１ｂの下側の端部にて複数のヒンジ２５を介して回動自在に取り付けられている。踏み板２３は、窓部２１ｂを閉鎖した状態のときに、扉本体２１に対して回動しないようにロック部２７によってロックすることが可能である。
【００２８】
ヒンジ２４、２５は、対応する踏み板２２、２３を扉本体２１の窓部２１ａ、２１ｂの下側の端部に回動自在に取り付けるための部材である（図１〜図５参照）。ヒンジ２４、２５は、扉２０Ａ、２０Ｂが箱体１０の開口部１０ａを覆うよう固定されたときに、踏み板２２、２３の板面が扉本体２１の板面と同じ面となるように踏み板２２、２３の回動を規制する。ヒンジ２４、２５は、扉２０Ａ、２０Ｂを箱体１０に対して斜めに立てかけたときに、踏み板２２、２３の板面が水平となるように踏み板２２、２３の回動を規制する。
【００２９】
ロック部２６、２７は、踏み板２２、２３が窓部２１ａ、２１ｂを閉鎖した状態のときに、踏み板２２、２３を扉本体２１に対して回動しないようにロックするための部材である（図１、図４、図５参照）。ロック部２６、２７は、扉本体２１における窓部２１ａ、２１ｂの上部にて、連結部２６ａ、２７ａによって回動自在に取り付けられている。ロック部２６、２７は、長手方向が縦になったときに踏み板２２、２３を扉本体２１に対して回動しないようにロックし、長手方向が横になったときに踏み板２２、２３を扉本体２１に対して回動可能となるようにロックを解除する。
【００３０】
開き止め金具３０は、扉２０Ａ、２０Ｂを箱体１０に対して斜めに立てかけたときに、扉２０Ａ、２０Ｂの下部が箱体１０から開かないようにするための金具である（図１〜図５参照）。開き止め金具３０は、扉本体２１の枠状の部分の両側面の内側の面の所定の位置に連結部３０ａ（例えば、ネジ、リベット、その他の連結手段）によって回動自在に取り付けられている。開き止め金具３０は、扉２０Ａ、２０Ｂを箱体１０に対して斜めに立てかけたときに、フレーム１２、１３に取付固定されたピン部材１４に着脱自在に引っ掛けるための凹部３０ｂを有する。開き止め金具３０は、凹部３０ｂがピン部材１４に引っ掛かった状態のときに、開き止め金具３０の長手方向が水平となるように設定されている。これにより、扉２０Ａ、２０Ｂを箱体１０から離した際に、扉２０Ａ、２０Ｂの踏み板２２、２３に作業者が乗っても支えることができる。なお、開き止め金具３０は、連結部３０ａを介して箱体１０に回動自在に取り付けられ、凹部３０ｂが、扉本体２１に取り付けられたピン部材１４に着脱自在に引っ掛けるようにしてもよい。
【００３１】
ロックピン３１は、扉２０Ａ、２０Ｂを箱体１０に対して斜めに立てかけたときに、扉２０Ａ、２０Ｂの上部を箱体１０に固定する（引っ掛ける）ためのピン状の部材である（図１、図３参照）。ロックピン３１は、扉本体２１の穴部２１ｃを挿通し、フレーム１２、１３に取付固定された受部材１５の穴部１５ａ挿通することで扉２０Ａ、２０Ｂの上部を箱体１０に固定する（引っ掛かる）。
【００３２】
実施形態１によれば、ラック１の扉２０Ａ、２０Ｂを作業台として利用することにより、ラック上部での機器の交換、調整、取付、修理、組立等の作業を効率よく行うことができる。また、ラック１の扉２０Ａ、２０Ｂを作業台として利用することにより、脚立、梯子等の作業台やその代用物を調達、借用、用意、持込する必要がない。また、初期設計費用とわずかな部材の追加のみで、脚立、梯子等の作業台となる機能をラック１に付加することができる。さらに、脚立、梯子等の作業台をラックに組み込んだり、別に用意しておく場合に比べ、低コストである。
【００３３】
［実施形態２］
本発明の実施形態２に係るラックについて図面を用いて説明する。図６は、本発明の実施形態２に係るラックの閉状態の構成を模式的に示した箱体の内側から見た側面図である。図７は、本発明の実施形態２に係るラックの開状態の構成を模式的に示した箱体の内側から見た側面図である。
【００３４】
実施形態２は、実施形態１の変形例であり、ロックピン（図１の３１）及び穴部（図１の２１ｃ）並びに受部材（図１の１５）を用いる代わりに、扉本体２１の上部にてフレーム１２、１３の最上部よりも上に延在した延在部２１ｄを設け、延在部２１ｄのフレーム１２、１３側の面に引っ掛け金具３２を取り付け、フレーム１２、１３の上面にガイド部材３３を取り付けたものである。扉２０Ａ、２０Ｂを箱体１０に対して斜めに立てかけたときに、引っ掛け金具３２をガイド部材３３に引っ掛けるようにして用いる。なお、引っ掛ける構成は、双方「Ｕ」の字型として、外れない様に引っ掛ける構成でもよいし、片側の引っ掛け金具が、相手側の溝に嵌る構成、取り外し可能であり、かつ、扉２０Ａ、２０Ｂを上に上げないと外れない構成等、扉２０Ａ、２０Ｂが箱体１０から容易に外れないものであればよい。その他の構成は、実施形態１と同様である。
【００３５】
実施形態２によれば、実施形態１と同様な効果を奏する。
【００３６】
［実施形態３］
本発明の実施形態３に係るラックについて図面を用いて説明する。図８は、本発明の実施形態３に係るラックの開状態の構成を模式的に示した断面図である。図９は、本発明の実施形態３に係るラックにおけるフレームの構成を模式的に示した平面図である。
【００３７】
実施形態３は、実施形態１の変形例であり、踏み板２２、２３を水平にしたときに、踏み板２２、２３上に作業員が乗っても踏み板２２、２３が水平に安定するように、フレーム１２、１３において、踏み板２２、２３を受ける受部材３６、３７を設けたものである。
【００３８】
扉２０Ａ、２０Ｂを箱体１０に対して斜めに立てかけた状態で、踏み板２２、２３を水平にしたときに、踏み板２２、２３の先端部がフレーム１２、１３の開口部内に配され、踏み板２２、２３の先端部が受部材３６、３７によって受けられる。受部材３６、３７はビーム状（梁状、棒状）の部材であり、受部材３６、３７の両端がフレーム１２、１３に固定（例えば、溶接、ボルト等）されている。踏み板２２、２３の先端部には、複数の引っ掛け部材３４、３５が取り付けられている。引っ掛け部材３４、３５は、水平な状態の踏み板２２、２３の下側に突出している。受部材３６、３７には、引っ掛け部材３４、３５が挿入される（引っ掛かる）複数の穴部３６ａ、３７ａが形成されている。踏み板２２、２３には、複数の穴部２２ａ、２３ａが形成されている。穴部２２ａ、２３ａは、通気穴となる。その他の構成は、実施形態１と同様である。
【００３９】
実施形態３によれば、実施形態１と同様な効果を奏するとともに、足場となる踏み板２２、２３を安定化させることができる。
【００４０】
［実施形態４］
本発明の実施形態４に係るラックについて図面を用いて説明する。図１１は、本発明の実施形態４に係るラックの閉状態の構成を模式的に示した箱体の内側から見た側面図である。図１２は、本発明の実施形態４に係るラックの開状態の構成を模式的に示した箱体の内側から見た側面図である。
【００４１】
実施形態４は、実施形態１の変形例であり、開き止め金具（図１の３０）の凹部（図１の３０ｂ）がピン部材（図１の１４）に着脱自在に引っ掛かる構成とする代わりに、折れ曲がり可能な開き止め金具４０を介して扉２０Ａ、２０Ｂと箱体１０とが常時連結された状態としたものである。
【００４２】
開き止め金具４０は、扉２０Ａ、２０Ｂを箱体１０に対して斜めに立てかけたときに、扉２０Ａ、２０Ｂの下部が箱体１０から開かないようにするための金具である。開き止め金具４０は、第１金具４１の他端と第２金具４２の一端とがヒンジ部４３（例えば、ネジ、リベット、その他の連結手段）を介して回動可能に連結されており、第１金具４１の一端と扉本体２１とが連結部４４（例えば、ネジ、リベット、その他の連結手段）を介して回動可能に連結され、第２金具４２の他端とフレーム１２、１３とが連結部４５（例えば、ネジ、リベット、その他の連結手段）を介して回動可能に連結されている。開き止め金具４０は、扉２０Ａ、２０Ｂを箱体１０に対して斜めに立てかけたときに、第１金具４１の長手方向と第２金具４２の長手方向とが一直線かつ水平となるように設定されている。開き止め金具４０は、扉２０Ａ、２０Ｂを箱体１０の開口部を閉じるように取り付けたときに、第１金具４１と第２金具４２とがヒンジ部４３で折れ曲がった姿勢となる。その他の構成は、実施形態１と同様である。
【００４３】
実施形態４によれば、実施形態１と同様な効果を奏するとともに、扉２０Ａ、２０Ｂを箱体１０に対して斜めに立てかける操作を容易に行うことができる。
【００４４】
なお、本出願において図面参照符号を付している場合は、それらは、専ら理解を助けるためのものであり、図示の態様に限定することを意図するものではない。以下、実施例について図面を参照しつつ説明する。
【００４５】
（付記）
本発明の第１の視点においては、ラックにおいて、開口部を有する箱体と、前記箱体の前記開口部に着脱自在に取付可能な扉と、を備え、前記扉は、前記箱体に対して斜めに立てかけて固定可能な構成を有するとともに、斜めに立てかけた状態で作業台として変形可能な構成を有することを特徴とする。
【００４６】
本発明の前記ラックにおいて、前記扉は、１又は複数の窓部を有する扉本体と、前記窓部に対応する踏み板と、前記扉本体に対して前記踏み板を開閉自在に取り付けるヒンジ部と、を有し、前記踏み板は、前記窓部を閉じた状態では前記扉本体とともに前記扉の表面をなし、前記窓部を開いた状態では作業台としての踏み場となることが好ましい。
【００４７】
本発明の前記ラックにおいて、前記箱体には、前記窓部を開いた状態のときに前記踏み板が水平となるように前記踏み板を受ける受部材が取り付けられていることが好ましい。
【００４８】
本発明の前記ラックにおいて、前記踏み板には、引っ掛け部材が取り付けられており、前記受け部材には、前記引っ掛け部材が着脱自在に引っ掛かる穴部を有することが好ましい。
【００４９】
本発明の前記ラックにおいて、前記扉を前記箱体に対して斜めに立てかけたときに前記扉の下部が前記箱体に対して開くのを止める開き止め金具を備えることが好ましい。
【００５０】
本発明の前記ラックにおいて、前記箱体及び前記扉の一方には、ピン部材が取り付けられており、前記開き止め金具は、連結部を介して前記箱体及び前記扉の他方に回動自在に取り付けられるとともに、前記ピン部材に着脱自在に引っ掛かる凹部を有することが好ましい。
【００５１】
本発明の前記ラックにおいて、前記開き止め金具は、第１金具の他端と第２金具の一端とがヒンジ部を介して回動可能に連結されるとともに、前記第１金具の一端と前記扉とが第１連結部を介して回動可能に連結され、かつ、前記第２金具の他端と前記箱体とが第２連結部を介して回動可能に連結された構成であることが好ましい。
【００５２】
本発明の前記ラックにおいて、前記扉には、第１穴部を有し、前記箱体には、第２穴部を有する受部材が取り付けられており、前記第１穴部及び前記第２穴部に挿入可能なロックピンを備えることが好ましい。
【００５３】
本発明の前記ラックにおいて、前記扉は、前記箱体よりも高く延在した延在部を有するとともに、前記延在部に引っ掛け金具が取り付けられており、前記箱体は、上面にて前記引っ掛け金具が引っ掛かるガイド部材が取り付けられていることが好ましい。
【００５４】
本発明の第２の視点においては、ラックの使用方法において、箱体の開口部に着脱自在に取付可能な扉を有するラックから前記扉を外す工程と、外した前記扉を前記箱体に対して斜めに立てかけて固定する工程と、斜めに立てかけた前記扉を作業台として変形する工程と、を含むことを特徴とする。
【００５５】
なお、本発明の全開示（請求の範囲及び図面を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。
【符号の説明】
【００５６】
１  ラック
１０  箱体
１０ａ  開口部
１１  箱体本体
１２、１３  フレーム
１４  ピン部材
１５  受部材
１５ａ  穴部
２０Ａ、２０Ｂ  扉
２１  扉本体
２１ａ、２１ｂ  窓部
２１ｃ  穴部
２１ｄ  延在部
２２、２３  踏み板
２２ａ、２３ａ  穴部
２４、２５  ヒンジ
２６、２７  ロック部
２６ａ、２７ａ  連結部
３０  開き止め金具
３０ａ  連結部
３０ｂ  凹部
３１  ロックピン
３２  引っ掛け金具
３３  ガイド部材
３４、３５  引っ掛け部材
３６、３７  受部材
３６ａ、３７ａ  穴部
４０  開き止め金具
４１  第１金具
４２  第２金具
４３  ヒンジ部
４４、４５  連結部
【図１】
0005863716.tif 000002
【図２】
0005863716.tif 000003
【図３】
0005863716.tif 000004
【図４】
0005863716.tif 000005
【図５】
0005863716.tif 000006
【図６】
0005863716.tif 000007
【図７】
0005863716.tif 000008
【図８】
0005863716.tif 000009
【図９】
0005863716.tif 000010
【図１０】
0005863716.tif 000011
【図１１】
0005863716.tif 000012
【図１２】
0005863716.tif 000013